(57)【要約】  本発明のズレ防止機能を持つソックスは、足の甲の一部を覆う甲パッド１０を備え、甲パッドを形成する第１の生地Ｆ１は、甲パッド１０の周囲の領域を形成する第２の生地Ｆ２よりも厚く、甲パッド１０は、少なくとも第３中足骨Ｂ４３の骨体および骨底の一部、第４中足骨Ｂ４４の骨体の一部および骨底の一部を覆い、甲パッド１０は、前方寄りの第１縁１１、足の外側寄りの第２縁１２および足の内側寄りの第３縁１３を有し、第１縁１１は第２中足骨Ｂ４２、第３中足骨Ｂ４３および第４中足骨Ｂ４４の骨頭よりも後方に位置し、第２縁１２は足の外側縁１９に位置するか、あるいは、外側縁１９よりも内側ＩＮ寄りに位置し、第３縁１３は足の甲の稜線Ｌ１よりも外側ＯＵＴ寄りに位置し、第２の生地Ｆ２が前脛骨筋腱を覆い、かつ、甲パッド１０が前脛骨筋腱を覆わない。
2008087726.tif 000002
【特許請求の範囲】
【請求項１】
ズレ抑制機能を持つソックスであって、
前記ソックスは足の甲の一部を覆う甲パッドを備え、
前記甲パッドを形成する第１の生地は、前記甲パッドの周囲の領域を形成する第２の生地よりも厚く、
前記甲パッドは、少なくとも第３中足骨の骨体の一部、第３中足骨の骨底の一部、第４中足骨の骨体の一部および第４中足骨の骨底の一部を覆い、
前記甲パッドは、前方寄りの第１縁、足の外側寄りの第２縁および足の内側寄りの第３縁を有し、
前記第１縁は第２中足骨、前記第３中足骨および前記第４中足骨の骨頭よりも後方に位置し、
前記第２縁は足の外側縁に位置するか、あるいは、前記外側縁よりも内側寄りに位置し、
前記第３縁は足の甲の稜線よりも外側寄りに位置し、
前記第２の生地が前脛骨筋腱を覆い、かつ、前記甲パッドが前記前脛骨筋腱を覆わないソックス。
【請求項２】
請求項１において、前記第１縁が前記第２〜第４の中足趾節関節から２０ｍｍ以上後方に位置するソックス。
【請求項３】
請求項２において、前記第１縁が足の内側から外側へ近づくに従い後方に向っていることで、前記第１縁が前記中足趾節関節の傾きに沿って傾いているソックス。
【請求項４】
請求項２において、前記第３および第４中足骨の骨底の全部を前記甲パッドが覆うソックス。
【請求項５】
請求項１において、前記第３縁の前部が前記稜線から足の外側へ向かって１０ｍｍ以上離れた位置において前記稜線に沿って配置されており、前記第３縁の後部が後方に行くに従い前記稜線から遠ざかるように傾斜しているソックス。
【請求項６】
請求項１において、前記甲パッドが後方に行くに従い前記甲パッドの内外方向の幅が小さいソックス。
【請求項７】
請求項１において、前記甲パッドの後端が距腿関節の前端近傍に位置するか、あるいは、前記距腿関節の前端近傍よりも前方に位置するソックス。
【請求項８】
請求項１において、第２、第３および第４趾については、中足骨の骨頭から末節骨の先端までの部位が前記第２の生地で覆われ、
足の甲の中足部において、前記稜線および前記稜線よりも内側寄りの部位の概ね全域が前記第２の生地で覆われているソックス。
【請求項９】
請求項１において、前記甲パッドの第１縁〜第３縁は互いに本質的に連なり、該３つの縁により、前記甲パッドが前記周囲の領域から区画されたソックス。
【請求項１０】
請求項１において、前記第２の生地が前脛骨筋腱を覆い、かつ、前記甲パッドが前記前脛骨筋腱を覆わないソックス。
【請求項１１】
ズレ抑制機能を持つソックスであって、
足の甲の一部を覆う甲パッドと、
内踝の下方に配置され、足の後足部の内側面の少なくとも一部を覆う内側後パッドと、
外踝の下方に配置され、足の後足部の外側面の少なくとも一部を覆う外側後パッドとを備え、
前記甲パッドと前記内側後パッドとは本質的に互いに離間して配置されており、
前記各パッドを形成する第１の生地は、前記各パッドの周囲の領域を形成する第２の生地よりも厚く、
前記甲パッドは、足の甲の稜線よりも足の外側寄りに配置され、少なくとも第３中足骨の骨体の一部および第４中足骨の骨体の一部を覆い、
前記内側後パッドは、舟状骨および内踝の真下において足の内側面の下部の一部を覆う一方で、舟状骨における足の内側へ向って最も突出した突出部を覆わず、かつ、内踝の真下において前記踵骨の上縁を覆わず、
前記外側後パッドは、踵骨の外側面の下部の一部を覆う一方で、前記外踝の真下において前記踵骨の上縁を覆わないソックス。
【請求項１２】
請求項１１において、前記内側後パッドの前端が、楔状骨の後端またはその近傍に位置し、
前記外側後パッドの前端が第５中足骨の後端よりも後方に位置するソックス。
【請求項１３】
請求項１１において、前記内側後パッドは舟状骨よりも下方の位置に設けられ、前記第２の生地が舟状骨の内側面を覆うソックス。
【請求項１４】
請求項１１において、前記外側後パッドの前端が前記内側後パッドの前端よりも後方に配置されているソックス。
【請求項１５】
請求項１１において、前記踵骨の上部および内外の踝の側面が前記内外の後パッドで覆われておらず、前記第２の生地で覆われているソックス。
【請求項１６】
請求項１１において、前記踵骨の背面が第２の生地で覆われているソックス。
【請求項１７】
請求項１１において、前記踵骨の背面、前記踵骨の後端部の両側面および前記踵骨の後端部の底面がパイル地からなる第２の生地で覆われているソックス。
【請求項１８】
ズレ抑制機能を持つソックスであって、
足の甲の一部を覆う甲パッドと、
第１中足骨の骨頭の内側面を覆う内側ＭＰパッドと、
第５中足骨の骨頭の外側面を覆う外側ＭＰパッドとを備え、
前記甲パッドと前記内側ＭＰパッドとは本質的に互いに離間して配置されており、
前記各パッドを形成する第１の生地は、前記各パッドの周囲の領域を形成する第２の生地よりも厚く、
前記甲パッドは、足の甲の稜線よりも足の外側寄りに配置され、少なくとも第３中足骨の骨体の一部および第４中足骨の骨体の一部を覆い、
第２および第３趾については、中足骨の骨頭から末節骨までの部位が、前記３つのパッドで覆われておらず、前記第２の生地で覆われているソックス。
【請求項１９】
請求項１８において、前記内側ＭＰパッドは、第１中足骨の骨頭の内側面および第１趾の基節骨の骨底の内側面を覆い、
前記外側ＭＰパッドは、第５中足骨の骨頭の外側面および第５趾の基節骨の骨底の外側面を覆っているソックス。
【請求項２０】
請求項１８において、前記内側ＭＰパッドは母趾球の底面を覆うソックス。
【請求項２１】
請求項１９において、前記内側ＭＰパッドは、第１趾の尾根部よりも内側寄りに配置され、前記第２の生地により前記尾根部が覆われているソックス。
【請求項２２】
請求項１９において、前記外側ＭＰパッドは、第５趾の尾根部および底面の一部を覆うソックス。
【請求項２３】
ズレ抑制機能を持つソックスであって、
足の甲の一部を覆う甲パッドと、
第１中足骨の骨頭の内側面を覆う内側ＭＰパッドと、
第５中足骨の骨頭の外側面を覆う外側ＭＰパッドと、
内踝の下方に配置され、足の後足部の内側面の少なくとも一部を覆う内側後パッドと、
外踝の下方に配置され、足の後足部の外側面の少なくとも一部を覆う外側後パッドとを備え、
前記甲パッド、内側ＭＰパッドおよび内側後パッドは本質的に互いに離間して配置されており、
前記各パッドを形成する第１の生地は、前記各パッドの周囲の領域を形成する第２の生地よりも厚く、
前記甲パッドは、足の甲の稜線よりも足の外側寄りに配置され、少なくとも第３中足骨の骨体の一部および第４中足骨の骨体の一部を覆い、
前記内側後パッドは、舟状骨の下方において踵骨の下部の内側面の一部を覆う一方で、舟状骨における足の内側へ向って最も突出した突出部を覆わず、かつ、内踝の真下において前記踵骨の上縁を覆わず、
前記外側後パッドは、踵骨の下部の外側面の一部を覆う一方で、前記外踝の真下において前記踵骨の上縁を覆わないソックス。
【請求項２４】
請求項２３において、第２および第３趾については、中足骨の骨頭から末節骨までの部位が、前記３つのパッドで覆われておらず、前記第２の生地で覆われているソックス。
【発明の詳細な説明】
【技術分野】
【０００１】
本発明は、ズレ（変位）抑制機能を持つソックスに関する。
【背景技術】
【０００２】
一般に、ソックス（靴下）は、全体が概ね均等な厚さに形成されている。そのため、運動時において、シューズに対して足が変位するおそれがある。
そこで、所定の部分の生地の厚さが他の部分の生地の厚さよりも大きいソックスが提案されている（特許文献１、特許文献２および特許文献３参照）。
【特許文献１】特開２００３−２２７００５（図１）
【特許文献２】実開平５−１０４０２号（図１）
【特許文献３】特開２００３−３０１３０４（図１）
【発明の開示】
【０００３】
ウォーキングやランニングなどでは、足が着地してから離地するまでの間に、足部が内側に倒れ込むような動きが生じる。この足部が内側に倒れ込む動きに対して、足の稜線よりも内側寄りでは足とシューズのアッパーとが密着する。しかし、前記稜線よりも外側寄りではアッパーと足との間に隙間が生じ易い。そのため、運動時にシューズに対して足が上下方向および前後方向に変位するおそれがある。
そこで、特許文献１および特許文献２に開示された先行技術では、足の甲の部分が他の部分よりも厚い。
【０００４】
足の甲の稜線付近には運動時に大きな隆起を繰り返す前脛骨筋腱などが存在する。また、前記稜線よりも内側寄りの部分には、太い大伏在静脈が存在する。前記特許文献１，２のソックスの場合、運動時において、前脛骨筋腱や大伏在静脈が圧迫されて、圧迫感や違和感が生じ易い。
また、特許文献１および２に開示されたソックスは、足の甲部分の概ね全体が厚いので、重量の増加が生じる。
【０００５】
図１３Ａ，図１３Ｂは前記特許文献３に開示されたソックスを示す斜視図である。
これらの図において、このソックスのパッド１００は足の外側のほぼ半分の範囲に設けられている。そのため、このソックスを実際に着用すると、前記前脛骨筋腱を覆うケースがあるかもしれない。
その場合、足の蹴り出し時に圧迫を感じるかもしれない。
【０００６】
図１３Ａのパッド１００は、足の中足部から爪先までを覆っている。図１３Ｂのソックスのパッド１００は、爪先部分を覆っていないが、このソックスを実際に着用すると、中足骨の骨底を覆うケースがあるかもしれない。その場合、足の底背屈時に抵抗を感じたり、圧迫を感じるかもしれない。
【０００７】
本発明の主な目的は、重量をあまり増加させることなく、かつ、足に圧迫感や違和感が生じることなく、運動時にシューズに対して足が上下および前後方向に変位するのが抑制されるソックスを提供することである。
【０００８】
ところで、足の踵部分において、シューズと足との隙間を埋めるために、ソックスの踵部の全体を厚くすることが提案されている（特開昭６０−１６２８０１号公報）。
【０００９】
しかし、一般的なシューズは、運動時に足がシューズに対し上方に変位して、シューズが脱げるのを抑制するために、履き口を絞るように設計されている。そのため、ソックスの踵全体に厚みを持たせることは、絞られている履き口を押し広げるので、前記履き口における圧迫感が生じたり、あるいは、足がシューズ内で上下方向に変位するなどの不具合が生じる。  
【００１０】
したがって、本発明の別の目的は踵のフィット性を向上させて足の上下方向の前記変位を抑制することである。
【００１１】
ところで、運動時において、アッパーに最も大きな圧力が加わるのは第５中足骨の骨頭に対応する部分である。したがって、運動時には、当該部分においてシューズに対して足が、足の幅方向に変位し易い。そこで、足の底部および足の両側面の全体を厚くしたソックスが提案されている（特開昭６０−１６２８０１号公報参照）。
【００１２】
しかし、前述のように、アッパーに最も大きな圧力が加わるのは第５中足骨の骨頭に対応する部分であるから、その部分以外の厚みを増すことは、ソックスの重量が増加する原因となる。
【００１３】
したがって、本発明の更に別の目的は、重量を大きく増加させることなく、幅方向の変位を抑制し得るソックスを提供することである。
【００１４】
本発明のある態様のソックスは、ズレ抑制機能を持つソックスであって、前記ソックスは足の甲の一部を覆う甲パッドを備え、前記甲パッドを形成する第１の生地は、前記甲パッドの周囲の領域を形成する第２の生地よりも厚く、前記甲パッドは、少なくとも第３中足骨の骨体の一部、第３中足骨の骨底の一部、第４中足骨の骨体の一部および第４中足骨の骨底の一部を覆い、前記甲パッドは、前方寄りの第１縁、足の外側寄りの第２縁および足の内側寄りの第３縁を有し、前記第１縁は第２中足骨、前記第３中足骨および前記第４中足骨の骨頭よりも後方に位置し、前記第２縁は足の外側縁に位置するか、あるいは、前記外側縁よりも内側寄りに位置し、前記第３縁は足の甲の稜線よりも外側寄りに位置し、前記第２の生地が前脛骨筋腱を覆い、かつ、前記甲パッドが前記前脛骨筋腱を覆わないことを特徴とする。
【００１５】
本態様によれば、甲パッドが少なくとも第３中足骨の骨体の一部、第３中足骨の骨底の一部、第４中足骨の骨体の一部および第４中足骨の骨底の一部を覆うことにより、上下方向の前記変位が抑制される。
また、第１縁が第２〜第４中足骨の骨頭よりも後方に位置しているので、当該各骨頭に厚い甲パッドが重ならない。したがって、圧迫感や違和感が生じにくい。
さらに、第２縁が足の外側縁に位置するか、あるいは、前記外側縁よりも内側寄りに位置しているので、足の中心が靴に対して内側に向かって片寄らない（片寄る：misalignment) 。
【００１６】
また、第３縁が足の甲の稜線よりも外側寄りに位置しているので、足の内外の隆起の高さが均等化する。また、隆起の小さい足の外側の高さが高くなるので、前記稜線よりも内側に位置している大伏在静脈を圧迫するおそれがない。
また、前脛骨筋腱や長母趾伸筋腱が、屈曲時に圧迫されにくいので、足の圧迫感や違和感が生じにくい。なお、第２趾〜第５趾の長趾伸筋腱における根元の太い部分よりも前方に前記第３縁が位置しているのが好ましい。
また、甲パッドが足の甲の全体を覆わないので、重量の大きな増加が生じない。
【００１７】
本発明において、骨の付け根の太く膨らんだ部分を“骨底”、先端の太く膨らんだ部分を“骨頭”、その間の細い部分を“骨体”という。
本発明において、「生地」とは、布・編物などの地質、つまりソックスの地質をいい、加工前の状態をいうのではない。
また、単に「覆う」という場合は、上方または斜め上方から骨等を覆うことをいう。
【００１８】
本発明の好ましい実施例においては、前記第１縁から前記第２〜第４の中足趾節関節までの距離が２０ｍｍ以上に設定され、最も好ましい実施例においては３０ｍｍ以上に設定される。前記距離の足長に対する比は、８％以上が好ましく、１２％以上が最も好ましい。
これらの好ましい態様においては、甲パッドと中足骨骨頭との干渉を抑制する。前記最も好ましい態様においては、足趾の長さや着用状態にかかわらず、甲パッドと中足骨骨頭との干渉を確実に抑制する。前記干渉の抑制は、ＭＰ関節の屈曲時における圧迫感や違和感を生じにくくする。また、甲パッドの小型化および軽量化を図り得る。
【００１９】
本発明の別の好ましい態様においては、前記第１縁が足の内側から外側へ近づくに従い後方に向っていることで、前記第１縁が前記中足趾節関節の傾きに沿って傾いている。
この態様もまた甲パッドと中足骨骨頭との干渉抑制に役立つ。
【００２０】
本発明の別の好ましい態様では、前記第３および第４中足骨の骨底の全部を前記甲パッドが覆う。
【００２１】
本発明の別の好ましい態様では、前記第３縁の前部が前記前脛骨筋腱から足の外側へ向かって１０ｍｍ以上離れた位置において前記前脛骨筋腱に沿って配置されており、前記第３縁の後部が後方に行くに従い前記前脛骨筋腱から遠ざかるように傾斜している。
この態様では、ソックスの着用時にソックスが足に対して片寄っても、甲パッドが前脛骨筋腱や長母趾伸筋腱における足趾の底背屈時に隆起する隆起部を覆うおそれがない。
【００２２】
本発明の別の好ましい態様では、前記甲パッドが後方に行くに従い前記甲パッドの内外方向の幅が小さい。
この態様では、甲パッドを小型化することができる。
【００２３】
本発明の別の好ましい態様では、前記甲パッドの後端が距腿関節の前端近傍に位置するか、あるいは、前記距腿関節の前端近傍よりも前方に位置する。
この態様では、足の屈曲時に圧迫感が生じにくい。
【００２４】
本発明の別の好ましい態様では、第２、第３および第４趾については、中足骨の骨頭から末節骨の先端までの部位が前記第２の生地で覆われ、足の甲の中足部において、前記稜線および前記稜線よりも内側寄りの部位の概ね全域が前記第２の生地で覆われている。
【００２５】
足の稜線に沿って第３縁が傾いていれば、甲の凹んだ部分に応じた形状となり、変位抑制効果が高まる。
【００２６】
なお、第１の生地は、たとえば、パイル地を採用することが可能で、このパイル地は、メリヤス（ニット）編みの表面から“わな”状の糸が突出して形成される。第２の生地は伸縮性のある生地で、たとえばメリヤス編みや、メリヤス編みをベースとした薄いパイル地を好適に採用することができる。
また、爪先および踵後部はメリヤス編みをベースとした薄いパイル地でもよい。
【００２７】
本発明の他の態様は、ズレ抑制機能を持つソックスであって、足の甲の一部を覆う甲パッドと、内踝の下方に配置され、足の後足部の内側面の少なくとも一部を覆う内側後パッドと、外踝の下方に配置され、足の後足部の外側面の少なくとも一部を覆う外側後パッドとを備え、前記甲パッドと前記内側後パッドとは本質的に互いに離間して配置されており、前記各パッドを形成する第１の生地は、前記各パッドの周囲の領域を形成する第２の生地よりも厚く、前記甲パッドは、足の甲の稜線よりも足の外側寄りに配置され、少なくとも第３中足骨の骨体の一部および第４中足骨の骨体の一部を覆い、前記内側後パッドは、舟状骨および内踝の真下において足の内側面の下部の一部を覆う一方で、舟状骨における足の内側へ向って最も突出した突出部を覆わず、かつ、内踝の真下において前記踵骨の上縁を覆わず、前記外側後パッドは、踵骨の外側面の下部の一部を覆う一方で、前記外踝の真下において前記踵骨の上縁を覆わないことを特徴とする。
【００２８】
本態様によれば、甲パッドを設けることにより、上下および前後方向の変位が抑制される。
また、本態様では、両後パッドが踵骨の下部の一部のみを覆うので、履き口が押し広げられることなく、足とシューズとの間にできる空間を適度に埋めることができる。したがって、踵のフィット性が向上し、シューズ内に発生する上下方向の前記変位を抑制できる。
【００２９】
ウォーキングやランニングなどでは、足が着地してから離地するまでの間に、足部が外転するような動きが生じる。そのため、後足部の内側では、足がシューズに対し内側に向かって変位するおそれがある。
そこで、本態様では、内側に後パッドを設けることにより、前記内側への変位を抑制している。
また、内側後パッドと甲パッドとが互いに離間して配置されているので、通気性が良好になると共に、ソックスの重量の増加が抑制される。
【００３０】
本発明の別の好ましい態様では、前記内側後パッドの前端が、楔状骨の後端またはその近傍に位置し、前記外側後パッドの前端が第５中足骨の後端よりも後方に位置する。
本態様によれば、足の外側に突出した第５中足骨の骨底の側面が、厚い第１の生地で覆われずに、薄い第２の生地で覆われているので、足の外側面の凹凸が小さくなって靴に対する足沿いが良好となる。
【００３１】
本発明の別の好ましい態様では、前記内側後パッドは舟状骨よりも下方の位置に設けられ、前記第２の生地が舟状骨の内側面を覆う。
本態様によれば、足の内側に突出した舟状骨の側面が厚い第１の生地で覆われずに、薄い第２の生地で覆われている。そのため、足の内側面の凹凸が小さくなって靴に対する足沿いが良好となる。
【００３２】
本発明の別の好ましい態様では、前記外側後パッドの前端が前記内側後パッドの前端よりも後方に配置されている。これにより、外側後パッドが第５中足骨の骨底と干渉しにくくなる。
【００３３】
本発明の別の好ましい態様では、前記踵骨の上部および内外の踝が前記内外の後パッドで覆われておらず、前記第２の生地で覆われている。
【００３４】
本発明の別の好ましい態様では、前記踵骨の背面が第２の生地で覆われている。
本態様によれば、背面が厚くないので、通常のソックスを本ソックスに履き替えた場合に足長方向に窮屈な感じが生じない。
【００３５】
本発明の別の好ましい態様では、前記踵骨の背面、前記踵骨の後端部の両側面および前記踵骨の後端部の底面がパイル織からなる第２の生地で覆われている。
【００３６】
本発明の好ましい態様は、ズレ抑制機能を持つソックスであって、足の甲の一部を覆う甲パッドと、第１中足骨の骨頭の内側面を覆う内側ＭＰパッドと、第５中足骨の骨頭の外側面を覆う外側ＭＰパッドとを備え、前記甲パッドと前記内側ＭＰパッドとは本質的に互いに離間して配置されており、前記各パッドを形成する第１の生地は、前記各パッドの周囲の領域を形成する第２の生地よりも厚く、前記甲パッドは、足の甲の稜線よりも足の外側寄りに配置され、少なくとも第３中足骨の骨体の一部および第４中足骨の骨体の一部を覆い、第２および第３趾については、中足骨の骨頭から末節骨までの部位が、前記３つのパッドで覆われておらず、前記第２の生地で覆われている。
【００３７】
本態様によれば、甲パッドを設けることにより、上下および前後方向の変位が抑制される。
また、前述のように、運動時において、アッパーの第５中足骨の骨頭に対応する部分に最も大きな圧力が加わる。したがって、運動時には、当該部分においてシューズに対して足が、足の幅方向に変位し易い。かかる幅方向の変位を抑制するためには、ソックスの第５中足骨骨頭の外側面に相当する部分を厚くするのが有効である。また、当該部分を厚くすることにより、アッパーから足の側面に受ける圧力を緩和する効果も生じる。
【００３８】
一方、ソックスの第５中足骨骨頭部分のみを厚くすると、シューズの長軸に対し足の長軸が幅方向に合致しなくなる。そこで、本態様では、外側ＭＰパッドと内側ＭＰパッドとを互いに分離して設けている。これにより、足をシューズ内の適正な位置に維持できるから、シューズの長軸と足の長軸とが合致し易く、違和感を生じさせることなく、前記変位を抑制することができる。
また、ＭＰパッドを内側と外側とに分離すれば、通気性が向上すると共に、ソックスの重量の増加が抑制される。
【００３９】
なお、“本質的に離間して”とは、甲パッドと内側ＭＰパッドとが完全に分離されている場合の他、両パッドが足の底面において連なっている場合を含むことを意味する。
【００４０】
本発明の別の好ましい態様では、前記内側ＭＰパッドは、第１中足骨の骨頭の内側面および第１趾の基節骨の骨底の内側面を覆い、前記外側ＭＰパッドは、第５中足骨の骨頭の外側面および第５趾の基節骨の骨底の外側面を覆っている。
本態様によれば、足趾の長さの個人差があっても、ＭＰパッドの利点を発揮し得る。
【００４１】
本発明の別の好ましい態様では、前記内側ＭＰパッドは母趾球の底面を覆う。
本態様によれば、母趾球には蹴り出し時に大きな力が負荷されるが、前記負荷による衝撃を前記内側ＭＰパッドが緩和する。
【００４２】
本発明の別の好ましい態様では、前記内側ＭＰパッドは、第１趾の尾根部よりも内側寄りに配置され、前記第２の生地により前記尾根部が覆われている。
本態様によれば、厚い内側ＭＰパッドが尾根部を覆わないから、足の屈曲時に圧迫感や違和感が生じない。
【００４３】
本発明の別の好ましい態様では、前記外側ＭＰパッドは、第５趾の尾根部および底面の一部を覆う。
本態様によれば、着用時における、ソックスと足との間の左右の片寄りを許容することができる。
【図面の簡単な説明】
【００４４】
【図１】図１は、本発明の実施例１にかかる着用状態のソックスのパッドと骨格との関係を示す概略平面図である。
【図２】図２は、同概略外側面図である。
【図３】図３は、同概略内側面図である。
【図４】図４は、同概略背面図ある。
【図５】図５は、着用状態のソックスを足の内側の斜め前方から見た斜視図である。
【図６】図６は、着用状態のソックスを足の外側の斜め前方から見た斜視図である。
【図７】図７は同底面図である。
【図８】図８Ａ，図８Ｂおよび図８Ｃは、それぞれ、実施例１のソックスの変形例を示す概略平面図である。
【図９】図９Ａおよび図９Ｂは実施例２を示す概略平面図、図９Ｃは図９Ｂの側面図である。
【図１０】図１０Ａ，図１０Ｂおよび図１０Ｃは、それぞれ、実施例３を示す概略平面図である。
【図１１】図１１Ａは実施例４を示す概略平面図、図１１Ｂは実施例５を示す概略側面図である。
【図１２】図１２Ａ，図１２Ｂおよび図１２Ｃは、それぞれ、ソックスの変形例の底面図である。
【図１３】図１３Ａは足の前方内側から見た公知のソックスの斜視図、図１３Ｂは足の前方外側から見た公知のソックスの斜視図である。
【符号の説明】
【００４５】
１：ソックス
１ａ：内踝
１ｂ：外踝
１０：甲パッド
１１：第１縁
１２：第２縁
１３：第３縁
２０：内側後パッド
３０：外側後パッド
Ｂ１i ：末節骨
Ｂ４i ：中足骨
Ｂ５i ：楔状骨
Ｂ６：舟状骨
Ｂ９：踵骨
Ｆ１：第１の生地
Ｆ２：第２の生地
ＩＮ：内側
ＪL ：リスフラン関節
Ｊ1 ：距腿関節
Ｌ1 ：稜線
ＭＰi ：ＭＰ関節（長足趾節関節）
ＯＵＴ：外側
Ｔ6 ：前脛骨筋腱
【発明を実施するための最良の形態】
【００４６】
本発明は、添付の図面を参考にした以下の好適な実施例の説明からより明瞭に理解されるであろう。しかしながら、実施例および図面は単なる図示および説明のためのものであり、本発明の範囲は請求の範囲によって定まる。添付図面において、複数の図面における同一の部品番号は、同一または相当部分を示す。【００４７】
以下、本発明の実施例が説明される。
以下の説明では、右足用のソックスを例示する。また、以下の説明において、中足趾節関節をＭＰ関節という。【００４８】
実施例１：
図１、図２、図３、図４、図５、図６および図７は実施例１を示す。
第１の生地Ｆ１および第２の生地Ｆ２：
図１の粗い網点で示すように、ソックス１は、甲パッド１０、内側後パッド２０、外側後パッド３０、内側ＭＰパッド４０および外側ＭＰパッド５０を備えている。
図５、図６および図７に示すように、前記各パッド１０，２０，３０，４０，５０は第１の生地Ｆ１からなり、本質的に互いに離間した島状に形成されている。その他の部分は第２の生地Ｆ２からなる。【００４９】
本実施例の場合、ソックス１は、その全域が伸縮性のある第１の生地Ｆ１または第２の生地Ｆ２で構成されている。ソックス１は、足の全面を覆うメリヤス編みのベース生地が露出した部分（第２の生地Ｆ２）と、前記メリヤス編みないし靴下編みのベース生地にパイル糸を突出してなるパッド１０，２０，３０，４０，５０（第１の生地Ｆ１）からなる。したがって、第１の生地Ｆ１は第２の生地Ｆ２よりも厚い。【００５０】
第２の生地Ｆ２としては、たとえば図５、図６および図７の細かい網点で示す足の爪先１ｆと踵１ｈ部分には、前記ベース生地にパイル糸が足の面に向かって突出された若干厚い生地を用いることができる。前記第２の生地Ｆ２における厚い部分は、第１の生地Ｆ１よりも薄く形成されている。【００５１】
パッドの位置：
つぎに、足の骨と、各パッド１０，２０，３０，４０，５０との位置関係について説明する。【００５２】
末節骨Ｂ１i および中節骨Ｂ２i ：
図１、図２および図３に示すように、各趾Ｂi の末節骨Ｂ１i および中節骨Ｂ２i は、それぞれ第２の生地Ｆ２により覆われている。【００５３】
基節骨Ｂ３i および中足骨Ｂ４i ：
内側ＭＰパッド４０；
図１に示すように、第１基節骨Ｂ３1 の骨底の上面の内側ＩＮ寄りの一部、および第１中足骨Ｂ４1 の骨頭の上面の内側ＩＮ寄りの一部は、内側ＭＰパッド４０により覆われている。
図３に示すように、第１基節骨Ｂ３1 の骨底の内側面、および第１中足骨Ｂ４1 の骨頭の内側面は、内側ＭＰパッド４０により覆われている。
図７に示すように、第１基節骨Ｂ３1 の骨底の底面、および第１中足骨Ｂ４1 の骨頭の底面は、内側ＭＰパッド４０によって覆われている。したがって、第１中足骨Ｂ４1 の骨頭底面に位置する母趾球Ｏ１は、内側ＭＰパッド４０によって覆われている。【００５４】
図１、図３および図７に示す内側ＭＰパッド４０の後端部４２は、第１中足骨Ｂ４1 の骨体の一部の上面、内側面および底面を覆っていてもよい。【００５５】
外側ＭＰパッド５０；
図１に示すように、第５基節骨Ｂ３5 の骨底の上面の外側ＯＵＴ寄りの一部と、第５中足骨Ｂ４5 の骨頭の上面の外側ＯＵＴ寄りの一部は、外側ＭＰパッド５０により覆われている。
図２に示すように、第５基節骨Ｂ３5 の骨底の外側面および第５中足骨Ｂ４5 の骨頭の外側面は、外側ＭＰパッド５０により覆われている。
図７に示すように、第５基節骨Ｂ３5 の骨底の底面の外側ＯＵＴ寄りの一部と第５中足骨Ｂ４5 の骨頭の底面の外側ＯＵＴ寄りの一部とは、外側ＭＰパッド５０によって覆われている。【００５６】
図１、図２および図７に示す外側ＭＰパッド５０の前端部５１は、第５末節骨Ｂ１5 の骨体の一部の上面、外側面および底面を覆っていてもよい。
外側ＭＰパッド５０の後端部５２は、第５中足骨Ｂ４5 の骨体の一部の上面、外側面および底面を覆っていてもよい。【００５７】
甲パッド１０；
図１に示すように、第２中足骨Ｂ４2 、第３中足骨Ｂ４3 、第４中足骨Ｂ４4 および第５中足骨Ｂ４5 の骨体の上面の一部は、甲パッド１０により覆われている。第３中足骨Ｂ４3 および第４中足骨Ｂ４4 の骨底の上面は甲パッド１０により完全に覆われている。第２中足骨Ｂ４2 および第５中足骨Ｂ４5 の骨底の上面の一部は、甲パッド１０により覆われている。外側楔状骨Ｂ５3 の上面の一部および立方骨Ｂ７の上面の一部は、前記甲パッド１０により覆われている。【００５８】
したがって、第２趾Ｂ2 、第３趾Ｂ3 および第４趾Ｂ4 については、中足骨Ｂ４2 ，Ｂ４3 ，Ｂ４4 の骨頭から末節骨Ｂ１2 ，Ｂ１3 ，Ｂ１4 の先端までの上面の部位は、第２の生地Ｆ２で覆われている。
本実施例の場合、図７に示す第１趾Ｂ1 および第５趾Ｂ5 以外の中足骨、つまり第２〜第４趾の中足骨Ｂ４2 ，Ｂ４3 ，Ｂ４4 （図１）から末節骨Ｂ１2 ，Ｂ１3 ，Ｂ１4 （図１）までの底面の部位は第２の生地Ｆ２で覆われている。【００５９】
図１に示す第５中足骨Ｂ４5 の骨頭の上面の一部および骨底の上面の一部は第２の生地Ｆ２により覆われている。図２に示す第５中足骨Ｂ４5 の骨体の内側面の一部および骨底の内側面の一部は第２の生地Ｆ２により覆われている。【００６０】
その他の骨：
前述したように、外側楔状骨Ｂ５3 の上面の一部および立方骨Ｂ７の上面の一部は、前記甲パッド１０により覆われている。【００６１】
内側後パッド２０；
図３に示すように、踵骨Ｂ９の内側面の下部の一部は、内側後パッド２０によって覆われている。
内側後パッド２０は、舟状骨Ｂ６および距骨Ｂ８の真下の位置に設けられている。内側後パッド２０の前端２１は、第１楔状骨Ｂ５1 の後端の真下またはその近傍に位置している。
図１および図３に示すように、内側後パッド２０は、舟状骨Ｂ６における足の内側ＩＮへ向かって最も突出した突出部Ｂ６ｐを覆わない。
したがって、図３に示すように、舟状骨Ｂ６および距骨Ｂ８の内側面は、第２の生地Ｆ２で覆われている。【００６２】
外側後パッド３０；
図２に示すように、踵骨Ｂ９の外側面の下部の一部は、外側後パッド３０によって覆われている。外側後パッド３０は、前記踵骨Ｂ９の上縁を覆わない。外側後パッド３０の前端３１は、第５中足骨Ｂ４5 の後端よりも後方に位置している。【００６３】
踵骨Ｂ９および踝１ａ，１ｂ；
図２および図３に示すように、踵骨Ｂ９の上部および内外の踝１ａ，１ｂは、内外の後パッド２０，３０で覆われておらず、第２の生地Ｆ２で覆われている。【００６４】
踵骨Ｂ９の背面；
前記踵骨Ｂ９の背面は、第２の生地Ｆ２で覆われている。したがって、図４に示すように、足の背面は、第２の生地Ｆ２により覆われており、両後パッド２０，３０によって覆われていない。【００６５】
つぎに、前記各パッド１０，２０，３０，４０，５０の形状および位置について詳しく説明する。
甲パッド１０：
図６に示すように、甲パッド１０は足の甲の稜線Ｌ1 よりも足の外側ＯＵＴ寄りに配置されている。足の甲の稜線Ｌ1 は、図１の破線に示すように、第１趾、第２趾または両趾の間の部分を通って、足の前方に行くに従い内側ＩＮに向かうように延びており、足の長軸（第２趾末節骨と踵骨の中央とを結ぶ線）に対して傾いている。図５に示すように、足の稜線Ｌ1 には、長母趾伸筋腱Ｔ1 が位置している。【００６６】
図１に示すように、前記甲パッド１０は、互いに本質的に異なる前方寄りの第１縁１１、足の外側ＯＵＴ寄りの第２縁１２、および足の内側ＩＮ寄りの第３縁１３を有している。甲パッド１０は、第１縁１１、第２縁１２および第３縁１３からなる３つの縁により、第２の生地Ｆ２からなる周囲の領域から島状に区画されている。【００６７】
第１縁１１；
前記第１縁１１は、第２、第３および第４中足骨Ｂ４2 ，Ｂ４3 ，Ｂ４4 の骨頭よりも後方に位置する。第１縁１１は、第２、第３および第４中足骨Ｂ４2 ，Ｂ４3 ，Ｂ４4 のＭＰ関節ＭＰ2 ，ＭＰ3 ，ＭＰ4 から２０ｍｍ以上後方に位置するのが好ましく、３０ｍｍ以上後方に位置するのが更に好ましい。【００６８】
第１縁１１は、足の内側ＩＮから外側ＯＵＴへ近づくに従い、斜め後方に向かっている。そのため、第１縁１１は第２、第３および第４中足骨Ｂ４2 ，Ｂ４3 ，Ｂ４4 のＭＰ関節ＭＰ2 ，ＭＰ3 ，ＭＰ4 の傾きに沿って傾いている。【００６９】
第２縁１２；
前記第２縁１２は、足の外側縁１９よりも内側ＩＮ寄りに位置する。【００７０】
第３縁１３；
図５に示すように、足の甲の稜線Ｌ1 には、前記長母趾伸筋腱Ｔ1 が位置していると共に、前記稜線Ｌ1 よりも内側ＩＮ寄りには、前脛骨筋腱Ｔ6 および大伏在静脈Ｖが位置している。
前記第３縁１３は、足の甲の稜線Ｌ1 よりも外側ＯＵＴ寄りに位置する。そのため、甲パッド１０は、前脛骨筋腱Ｔ6 、長母趾伸筋腱Ｔ1 および大伏在静脈Ｖを覆わない。したがって、前脛骨筋腱Ｔ6 、長母趾伸筋腱Ｔ1 および大伏在静脈Ｖは第２の生地Ｆ２のみで覆われる。【００７１】
図１に示すように、第３縁１３の前部は、足の甲の稜線Ｌ1 から足の外側ＯＵＴへ向かって１０ｍｍ以上離れた位置において、前記稜線Ｌ1 に沿って配置されるのが好ましい。  【００７２】
図１に示すように、第３縁１３は、リスフラン関節ＪL から距腿関節Ｊ1 に近づくに従い、図１に示す足の外側ＯＵＴに向かって傾いている。すなわち、第３縁１３は、リスフラン関節ＪL から外踝１ｂ（図２）に近づくに従い、外側ＯＵＴに向かって傾いている。
第３縁１３の後部は、後方に行くに従い稜線Ｌ1 から遠ざかるように傾斜している。そのため、甲パッド１０は、後方に行くに従い、内外方向Ｗの幅が小さく設定されている。図２に示すように、前記甲パッド１０の後端は、外踝１ｂよりも前方に位置している。【００７３】
ここで、図６に示すように、第２趾Ｂ2 、第３趾Ｂ3 、第４趾Ｂ4 および第５趾Ｂ5 の長指伸筋腱Ｔ2 ，Ｔ3 ，Ｔ4 ，Ｔ5 は、踝１ｂ（１ａ）の前方付近で４つ股に分かれるように広がっている。甲パッド１０は、前記４つ股に分かれるように広がる前の太い部分Ｔc よりも前方に第３縁１３が位置している。【００７４】
図１に示すように、第２、第３および第４趾Ｂ2 ，Ｂ3 ，Ｂ4 については、中足骨Ｂ４2 ，Ｂ４3 ，Ｂ４4 の骨頭から末節骨Ｂ１2 ，Ｂ１3 ，Ｂ１4 の先端までの部位が第２の生地Ｆ２で覆われている。また、図５に示すように、足の甲の中央部において、前記稜線Ｌ1 および稜線Ｌ1 よりも内側ＩＮ寄りの部位の概ね全域が第２の生地Ｆ２で覆われている。【００７５】
内側ＭＰパッド４０：
図５に示すように、内側ＭＰパッド４０は、第１趾Ｂ1 の尾根部Ｌ2 よりも足の内側ＩＮ寄りに配置されている。前記第１趾Ｂ1 の尾根部Ｌ2 は、第２の生地Ｆ２により覆われている。
第１趾Ｂ1 の尾根部Ｌ2 とは、主に、図１に示す第１基節骨Ｂ３1 および第１中足骨Ｂ４1 の上端部の突出部分のことをいう。前記第１趾Ｂ1 の尾根部Ｌ2 と、足の甲の稜線Ｌ1 とは連なっている。
図７に示すように、内側ＭＰパッド４０の前端４１の底部と、爪先部分Ｔの第２の生地Ｆ２のパイル地の部分（細かな網点部分）とは、互いに接している。【００７６】
外側ＭＰパッド５０：
図６に示すように、外側ＭＰパッド５０は、第５趾Ｂ5 （図１）の尾根部Ｌ3 を覆うように配置されている。第５趾Ｂ5 （図１）の尾根部Ｌ3 とは、主に、図１に示す第５基節骨Ｂ３5 および第５中足骨Ｂ４5 の上端部の突出部分のことをいう。
なお、図６および図７に示す外側ＭＰパッド５０の前端５１は、爪先部分Ｔの第２の生地Ｆ２の前記パイル地の部分と互いに接していてもよい。【００７７】
後パッド２０，３０：
図５に示すように、内側後パッド２０は、内踝１ａの下方に配置され足の後足部の内側面の一部を覆う。
図６に示すように、外側後パッド３０は、外踝１ｂの下方に配置され、足の後足部の外側面の一部を覆う。
図２および図３に示す踵骨Ｂ９の背面、後端部の両側面および後端部の底面は、図５、図６および図７の細かい網点で示すように、パイル地からなる第２の生地Ｆ２で覆われている。両後パッド２０，３０の後端２２，３２は、前記パイル地からなる第２の生地Ｆ２に接している。【００７８】
なお、各甲パッド１０、内側後パッド２０、外側後パッド３０、内側ＭＰパッド４０および外側ＭＰパッド５０の足側の前部もしくは一部に、ポリウレタンの樹脂などにより防滑処理を施してもよい。【００７９】
変形例：
なお、甲パッド１０は、種々の大きさや形状のものが用いられてもよい。
たとえば、図８Ａに示すように、甲パッド１０Ａは、前述の実施例１で説明した甲パッド１０よりも小さいものであってもよい。この甲パッド１０Ａは、第２中足骨Ｂ４2 の骨体および骨底の一部、第３中足骨Ｂ４3 の骨体の一部および骨底、第４中足骨Ｂ４4 の骨体の一部および骨底、第５中足骨Ｂ４5 の骨体の一部、第３楔状骨Ｂ５3 の一部、立方骨Ｂ７の一部を覆う。
また、図８Ｂに示すように、甲パッド１０Ｂは、前述の実施例１で説明した甲パッド１０よりも大きくてもよい。この甲パッド１０Ｂは、第２中足骨Ｂ４2 の骨体および骨底、第３中足骨Ｂ４3 の骨体の骨体および骨底、第４中足骨Ｂ４4 の骨体および骨底、中足骨Ｂ４の骨体および骨底の一部、第２楔状骨Ｂ５2 の一部、第３楔状骨Ｂ５3 および立方骨Ｂ７を覆う。【００８０】
また、たとえば、図１２Ａに示すように、内側ＭＰパッド４０は第１趾Ｂ1 の底面の母趾の先端まで設けられていてもよい。この場合には、母趾や母趾球Ｏ１のクッション性の向上や、突き上げの緩和が期待できる。【００８１】
ところで、前記内側ＭＰパッド４０が第１趾Ｂ1 の底面の母趾の先端まで設けられた場合には、第２趾〜第５趾（Ｂ2 〜Ｂ5 ）の力積が増加し、第１趾Ｂ1 の力積を分散減少させることができる。【００８２】
図１２Ｂに示すように、第１趾Ｂ1 から第５趾Ｂ5 までの底部により構成される踏み付け部１ｒの全体に延びるように、内側ＭＰパッド４０および外側ＭＰパッド５０の底面が互いに連なって設けられてもよい。この場合には、第１趾Ｂ1 や第５趾Ｂ5 に力積が集中する傾向が抑制され、第５趾Ｂ5 の小趾球Ｏ５のクッション性の向上や、突き上げ感の緩和が期待できる。【００８３】
また、図１２Ｃに示すように、内側ＭＰパッド４０が第１趾Ｂ1 の底面の母趾の先端まで延びるように設けられると共に、外側ＭＰパッド５０が小趾の底面に回り込むように設けられていてもよい。この場合には、第１趾Ｂ1 や第５趾Ｂ5 に力積が集中する傾向が抑制され、第５趾Ｂ5 の小趾球Ｏ５のクッション性の向上や、突き上げ感の緩和が期待できる。【００８４】
実施例２：
図９Ａ、図９Ｂおよび図９Ｃは実施例２を示す。
本実施例２では、各パッドの一部同士が互いに連なって形成されている。
図９Ａの甲パッド１０および外側ＭＰパッド５０は、その一部が互いに連なっている。図９Ａに示すように、甲パッド１０および外側ＭＰパッド５０は、甲パッド１０の第２縁１２の一部と外側ＭＰパッド５０の後部の一部とが互いに連なっている。
図９Ｂおよび図９Ｃの甲パッド１０、外側後パッド３０および外側ＭＰパッド５０の一部が互いに連なっている。図９Ｂおよび図９Ｃに示すように、甲パッド１０の第２縁１２および第１縁１１の一部と、外側ＭＰパッド５０の後部の一部とが互いに連なっている。甲パッド１０の第１縁１１の一部と外側後パッド３０の上端および前端とが互いに連なっている。【００８５】
実施例３：
図１０Ａ、図１０Ｂおよび図１０Ｃには実施例３が示される。
本実施例３において、各パッドは分離された複数の島からなる。
図１０Ａに示す甲パッド１０は、足の前後方向に分離された複数の島からなる。
図１０Ｂに示す甲パッド１０は、足の稜線Ｌ1 に概ね沿ったラインで、足の幅方向に分離された複数の島からなる。
図１０Ｃに示す甲パッド１０は、足の傾斜に沿ったラインで斜め方向に分離された複数の島からなる。【００８６】
実施例４：
図１１Ａには実施例４が示される。
図１１Ａに示す甲パッド１０は、散点状の多数の島からなる。
甲パッド１０が複数の島からなる場合、島と島との間の薄い第２の生地Ｆ２で形成された領域の部分１０ａは、実質的に甲パッド１０と同等の機能を発揮するので、甲パッド１０の領域とみなされる。【００８７】
実施例５：
図１１Ｂには実施例５が示される。
図１１Ｂに示す外側ＭＰパッド５０は、足の前後方向に分離された島からなる。外側後パッド３０は足の上下方向に分離された島からなる。【００８８】
試験例と比較例：
以下に述べる試験例および比較例では、足とシューズとにマーカーを付けて、ランニング時におけるシューズと足との変位を３次元動作分析装置を用いて計測した。【００８９】
第２の生地Ｆ２のみの場合（比較例１０）と、甲パッド１０のみを設けた場合（試験例１０）と、甲パッド１０および両後パッド２０，３０を設けた場合（試験例１１）とについて、シューズに対する足の上下方向の変位量を計測した。
前記試験例１０は、前記比較例１０よりも上下方向のシューズと足との変位が約６ｍｍ小さかった。この結果から、ソックス１に甲パッド１０を設けることにより、上下方向のシューズと足との変位を小さくすることが可能であると推測される。
また、前記試験例１１は、試験例１０よりも上下方向のシューズと足との変位が約７ｍｍ小さかった。この結果から、ソックス１に甲パッド１０および両後パッド２０，３０を設けることにより、上下方向のシューズと足との変位を更に小さくすることが可能であると推測される。【００９０】
なお、踵全体を厚くした場合に比べ、踵下部のみを厚くした内側後パッド２０を設けた場合の方が、シューズに対する足の上下方向の変位量が小さくなった。【００９１】
以下に述べる試験例および比較例では、足とシューズとにマーカーを付けて、カットイン動作時における床反力計のデータに基づき、前記カットイン時の接地時間を計算した。カットイン動作とは、直線方向のランニングの後、右足で踏み込み、左斜め約４５度方向へ全力で走行する動作のことである。【００９２】
第２の生地Ｆ２のみの場合（比較例３０）と、甲パッド１０、内側後パッド２０、外側後パッド３０、内側ＭＰパッド４０および外側ＭＰパッド５０を設けた場合（試験例３０）について測定を行った。
前記試験例３０は、比較例３０よりも約０．０１秒接地時間が短くなった。この結果から、前記５つのパッド１０，２０，３０，４０，５０を設けることにより、シューズと足との変位が小さくなり、運動性の向上が図られたと推測される。また、被験者からは、比較例３０に比べ試験例３０の方が、シューズのフィット性が明確に向上した体感を得ることができたという感想が得られた。【００９３】
以上のとおり、図面を参照しながら好適な実施例を説明したが、当業者であれば、本明細書を見て、自明な範囲で種々の変更および修正を容易に想定するであろう。
たとえば、第１の生地は第２の生地よりも厚く形成されると共に、第２の生地と一体に伸縮可能であればよく、第２の生地に第１の生地が貼付されていてもよいし、縫い付けられていてもよい。
したがって、そのような変更および修正は、請求の範囲から定まる本発明の範囲のものと解釈される。
【産業上の利用可能性】
【００９４】
本発明は、主に種々のスポーツ用のソックスに利用することができる。
【図１】
2008087726.tif 000003
【図２】
2008087726.tif 000004
【図３】
2008087726.tif 000005
【図４】
2008087726.tif 000006
【図５】
2008087726.tif 000007
【図６】
2008087726.tif 000008
【図７】
2008087726.tif 000009
【図８】
2008087726.tif 000010
【図９】
2008087726.tif 000011
【図１０】
2008087726.tif 000012
【図１１】
2008087726.tif 000013
【図１２】
2008087726.tif 000014
【図１３】
2008087726.tif 000015
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
ズレ抑制機能を持つソックスであって、
足の甲の一部を覆う甲パッドと、
内踝の下方に配置され、足の後足部の内側面の少なくとも一部を覆う内側後パッドと、
外踝の下方に配置され、足の後足部の外側面の少なくとも一部を覆う外側後パッドとを備え、
前記甲パッドと前記内側後パッドとは本質的に互いに離間して配置されており、
前記各パッドを形成する第１の生地は、前記各パッドの周囲の領域を形成する第２の生地よりも厚く、
前記甲パッドは、足の甲の稜線よりも足の外側寄りに配置され、少なくとも第３中足骨の骨体の一部および第４中足骨の骨体の一部を覆い、
前記内側後パッドは、舟状骨および内踝の真下において足の内側面の下部の一部を覆う一方で、舟状骨における足の内側へ向って最も突出した突出部を覆わず、かつ、内踝の真下において前記踵骨の上縁を覆わず、
前記外側後パッドは、踵骨の外側面の下部の一部を覆う一方で、前記外踝の真下において前記踵骨の上縁を覆わず、
前記外側後パッドの前端が前記内側後パッドの前端よりも後方に配置されているソックス。
【請求項２】
ズレ抑制機能を持つソックスであって、
足の甲の一部を覆う甲パッドと、
内踝の下方に配置され、足の後足部の内側面の少なくとも一部を覆う内側後パッドと、
外踝の下方に配置され、足の後足部の外側面の少なくとも一部を覆う外側後パッドとを備え、
前記甲パッドと前記内側後パッドとは本質的に互いに離間して配置されており、
前記各パッドを形成する第１の生地は、前記各パッドの周囲の領域を形成する第２の生地よりも厚く、
前記甲パッドは、足の甲の稜線よりも足の外側寄りに配置され、少なくとも第３中足骨の骨体の一部および第４中足骨の骨体の一部を覆い、
前記内側後パッドは、舟状骨および内踝の真下において足の内側面の下部の一部を覆う一方で、舟状骨における足の内側へ向って最も突出した突出部を覆わず、かつ、内踝の真下において前記踵骨の上縁を覆わず、
前記外側後パッドは、踵骨の外側面の下部の一部を覆う一方で、前記外踝の真下において前記踵骨の上縁を覆わず、
前記踵骨の背面が第２の生地で覆われているソックス。
【請求項３】
ズレ抑制機能を持つソックスであって、
足の甲の一部を覆う甲パッドと、
内踝の下方に配置され、足の後足部の内側面の少なくとも一部を覆う内側後パッドと、
外踝の下方に配置され、足の後足部の外側面の少なくとも一部を覆う外側後パッドとを備え、
前記甲パッドと前記内側後パッドとは本質的に互いに離間して配置されており、
前記各パッドを形成する第１の生地は、前記各パッドの周囲の領域を形成する第２の生地よりも厚く、
前記甲パッドは、足の甲の稜線よりも足の外側寄りに配置され、少なくとも第３中足骨の骨体の一部および第４中足骨の骨体の一部を覆い、
前記内側後パッドは、舟状骨および内踝の真下において足の内側面の下部の一部を覆う一方で、舟状骨における足の内側へ向って最も突出した突出部を覆わず、かつ、内踝の真下において前記踵骨の上縁を覆わず、
前記外側後パッドは、踵骨の外側面の下部の一部を覆う一方で、前記外踝の真下において前記踵骨の上縁を覆わず、
前記踵骨の背面、前記踵骨の後端部の両側面および前記踵骨の後端部の底面がパイル地からなる第２の生地で覆われているソックス。
【請求項４】
請求項１ないし３のいずれか１項において、前記内側後パッドの前端が、楔状骨の後端またはその近傍に位置し、
前記外側後パッドの前端が第５中足骨の後端よりも後方に位置するソックス。
【請求項５】
請求項１ないし３のいずれか１項において、前記内側後パッドは舟状骨よりも下方の位置に設けられ、前記第２の生地が舟状骨の内側面を覆うソックス。
【請求項６】
請求項１ないし３のいずれか１項において、前記踵骨の上部および内外の踝の側面が前記内外の後パッドで覆われておらず、前記第２の生地で覆われているソックス。
【国際調査報告】
2008087726.tif 000016
2008087726.tif 000017
2008087726.tif 000018
2008087726.tif 000019
2008087726.tif 000020
2008087726.tif 000021
2008087726.tif 000022
2008087726.tif 000023